(57)【要約】【課題】リモートコントロールの感度を高めることができる照明器具を提供することを目的とする。【解決手段】照明器具１０は、電源部３３および発光部３６が同一の回路基板１６に設けられており、電源部３３にはリモートコントロール用の受信部が設けられている。【選択図】図３
2018152362.tif 000002
【特許請求の範囲】
【請求項１】
電源部および発光部が同一の回路基板に設けられており、前記電源部にはリモートコントロール用の受信部が設けられている照明器具。
【請求項２】
請求項１に記載の照明器具であって、
前記電源部および前記発光部は、器具本体における造営材とは反対側に設けられている照明器具。
【請求項３】
請求項１または請求項２に記載の照明器具であって、
前記電源部を覆う電源領域カバーと、前記発光部を覆う透光性カバーとが一体成形されている照明器具。
【発明の詳細な説明】
【技術分野】
【０００１】
本発明は、器具本体に電源部および発光部が設けられ、電源部および発光部が電源領域カバーおよび透光性カバーでそれぞれ覆われる照明器具に関する。
【背景技術】
【０００２】
照明器具のなかには、天井に金属製の器具本体が取り付けられ、器具本体の裏面側（すなわち、天井側）に電源部として電源部回路基板が設けられ、器具本体の表面側（すなわち、床側）に発光部としてＬＥＤ回路基板が設けられたものが知られている（特許文献１）。ＬＥＤ回路基板のＬＥＤチップが透光性カバーで覆われている。また、器具本体の裏面側の電源部にはリモートコントロール用の受光素子（受信部）が実装されている。
【先行技術文献】
【特許文献】
【０００３】
【特許文献１】特開２０１２−１４６６６６号公報
【発明の概要】
【発明が解決しようとする課題】
【０００４】
ところで、照明器具の外部から点灯制御を行うリモートコントロールは通常赤外線方式が採用されている。よって、金属製の器具本体の裏面側に実装された受信部にリモートコントロールの信号を到達させるためには、器具本体に開口を形成し、開口を赤外光透過性有する別部材で塞ぐ必要があった。
しかし、受信部は開口から奥まった位置にあり、また、開口自体の大きさも限定せざるを得ないため、リモートコントロールの感度を確保し難くなることが考えられる。
【０００５】
これを解消するために、リモートコントロールを高出力にしたり、粒数を増やしたり、電池容量を上げることが考えられるが、これらの対策はコストアップにつながる。また、受信部をＬＥＤ回路基板側に実装することも考えられるが、受信部が発光部による均一発光の阻害要因になったり、配線が煩雑になる虞がある。
【０００６】
本発明は、前述した課題を解決するためになされたものであり、その目的は、リモートコントロールの感度を高めることができる照明器具を提供することにある。
【課題を解決するための手段】
【０００７】
本発明の照明器具は、電源部および発光部が同一の回路基板に設けられており、前記電源部にはリモートコントロール用の受信部が設けられている。
【発明の効果】
【０００８】
本発明によれば、リモートコントロールの感度を高めることができる照明器具を提供できる。
【図面の簡単な説明】
【０００９】
【図１】本発明に係る第１実施形態の照明器具を下方から見た状態を示す分解斜視図
【図２】図１の照明器具を組み付けた状態を示す断面図
【図３】図２のＩ部拡大図
【図４】本発明に係る第２実施形態の照明器具を示す断面図
【発明を実施するための形態】
【００１０】
以下、実施形態に係る照明器具について図面を参照して説明する。
（第１実施形態）
図１に示すように、照明器具１０は、造営材としての天井１１に取り付けられる器具本体１４と、器具本体１４の中央部に設けられた器具取付部１４Ａを迂回するように器具本体１４に支持される回路基板１６とを備えている。
天井１１には天井側取付部材１２が取り付けられている。器具取付部１４Ａの内部には照明器具側取付部材１５が取り付いて収納される。天井側取付部材１２に照明器具側取付部材１５が取り付けられることにより、照明器具１０が天井１１に固定される。
天井１１に器具本体１４が取り付けられた状態では、天井１１および器具本体１４間に介在するクッション１３（図２、図３も参照）によりぐらつき等は生じない。
【００１１】
さらに、照明器具１０は、回路基板１６の電源領域１７や発光領域１８を覆うカバー部材２０と、器具本体１４に取り付けられるグローブ２５とを備えている。
グローブ２５は、乳白色の投光性部材であり、器具本体１４のグローブ取付部材２６に係合突起２５Ａ（６個のうちの３個を使用）で下方から着脱自在に取り付けられる。この状態において、器具本体１４、回路基板１６、電源領域カバー１９や透光性カバー２３がグローブ２５で覆われる。
【００１２】
器具本体１４は、平面視において円板状に形成され、中央に器具取付部１４Ａが形成されている。器具本体１４は、中央部に設けられた照明器具側取付部材１５が収納される器具取付部１４Ａの周囲に、回路基板１６側へ膨出する接触面２１が環状に形成されている。
なお、第１実施形態では、平面視において円板状の器具本体１４を造営材としての天井１１に直接取り付ける例について説明するが、これに限定するものではなく、平面視において角形状の器具本体を用いる場合に適用可能である。また、天井側取付部材１２に係合部材を係合させるとともに、この係合部材を介して電線により器具本体１４を吊り下げる場合に適用可能である。また、チェーンやワイヤ等を用いて天井１１から器具本体１４を吊り下げる場合にも適用可能である。
【００１３】
天井側取付部材１２は、天井１１の裏側において電線と結線されている。照明器具側取付部材１５は、コネクタ付の配線（図示せず）が器具本体１４の下方に引き出されている。
従って、天井側取付部材１２に照明器具側取付部材１５を接続し、照明器具側取付部材１５の配線のコネクタを回路基板１６に設けられたコネクタ２８（図２参照）にコネクタ接続することにより、天井１１の裏側において電線と回路基板１６とが電気的に接続される。
なお、天井側取付部材１２および照明器具側取付部材１５は、図２、図３において省略している。
【００１４】
図１に示すように、回路基板１６は、器具本体１４の中央部に対応する中空部２９が開口され、略ドーナツ形状に形成されている。この回路基板１６は、器具本体１４側が裏面１６Ａ、器具本体１４とは反対側が表面１６Ｂとなっている。
表面１６Ｂに電源領域１７および発光領域１８が設けられている。裏面１６Ａには、発光領域１８に対応する発光領域裏面１６Ｃが形成されている。
【００１５】
回路基板１６の表面１６Ｂには、器具本体１４の器具取付部１４Ａ側に電源領域１７が設けられ、器具本体１４の器具取付部１４Ａに対して遠い領域（電源領域１７の外側）に発光領域１８が設けられている。
【００１６】
電源領域１７および発光領域１８を同一の回路基板１６に設けることにより、部品点数を減らすことができる。さらに、電源領域１７および発光領域１８を回路パターンで接続できるので、電源領域１７および発光領域１８をハーネスで接続する必要がなく、部品点数を削減できる。
【００１７】
電源領域１７が器具取付部１４Ａ側に形成され、発光領域１８が器具本体１４の器具取付部１４Ａから離れて形成されることにより、電源領域１７および発光領域１８が互いに上下方向において重なり合わないように配置されている。
【００１８】
電源領域１７に電源部３３としての電子部品３４が多数実装されている。電子部品３４としては、コネクタ２８やリモートコントロール用の受信素子（受信部、図示せず）が含まれる
電源領域１７に各電子部品３４が実装されることにより、各電子部品３４のリード突起３５が回路基板１６の裏面１６Ａ側に突出されている。
【００１９】
また、発光領域１８に発光部３６としての多数のＬＥＤチップ３７が実装されている。電源部３３が回路パターン３８で各ＬＥＤチップ３７に接続され、電源部３３から供給される電力により各ＬＥＤチップ３７が発光する。
【００２０】
また、回路基板１６の裏面１６Ａのうち、発光領域裏面１６Ｃに器具本体１４の接触面２１が接触されている。よって、接触面２１は、発光領域裏面１６Ｃのうち、各ＬＥＤチップ３７を接続する発光部３６の回路パターンに対応する部位に接触されている。
これにより、回路基板１６の熱を接触面２１に効率よく放熱させることができる。
【００２１】
回路基板１６の電源領域１７や発光領域１８が樹脂製のカバー部材２０で覆われている。カバー部材２０は、回路基板１６の電源領域１７を覆う電源領域カバー１９と、回路基板１６の発光領域１８を覆う透光性カバー２３とを備えている。
すなわち、電源領域カバー１９および透光性カバー２３が一体成形されている。
【００２２】
透光性カバー２３は、回路基板１６の表面１６Ｂに接触する外鍔部５１および内鍔部５２と、外鍔部５１および内鍔部５２に支持されるドーム部５３とを有する。
ドーム部５３は、外鍔部５１および内鍔部５２に支持されて各ＬＥＤチップ３７に対して一括して非接触で覆うようにドーム状に形成されている。
外鍔部５１および内鍔部５２は、回路基板１６の表面１６Ｂに接触されている。
【００２３】
電源領域カバー１９は、透光性カバー２３の内鍔部５２から下方に向けて傾斜状に張り出されて側壁を形成する傾斜面４４と、傾斜面４４の下端部を閉塞するカバー底部４５とを有する。
カバー底部４５および器具本体１４間にはカラー４７が配置されている。カラー４７は器具取付部１４Ａの外側に配置され、円筒状に形成されている。
【００２４】
ここで、透光性カバー２３および電源領域カバー１９、すなわち、カバー部材２０は、樹脂材で透明、梨地、乳白色に形成されている。さらに、カバー部材２０が透明以外の梨地や乳白色に形成された場合には、受信素子に相当する箇所が透明化されている。
【００２５】
このように、回路基板１６の表面１６Ｂに電源領域１７および発光領域１８を設け、電源領域１７にリモートコントロール用の受信素子（受信部）を設けた。また、電源部３３および発光部３６を樹脂製のカバー部材２０で覆うようにした。さらに、カバー部材２０を透明、梨地、乳白色に形成し、梨地、乳白色に形成する場合には、受信素子（受信部）に相当する箇所を透明化するようにした。
これにより、リモートコントロールの信号を受信素子（受信部）に到達させ易くなり、リモートコントロールの感度を高めることができる。
【００２６】
また、透光性カバー２３および電源領域カバー１９をカバー部材２０に一体成形することにより部品点数や組付工程を減らすことができる。これにより、照明器具１０のコストを抑え、さらに、生産性を高めることができる。
【００２７】
以上説明したように、第１実施形態の照明器具１０は、造営材である天井１１に支持される器具本体１４を備える。また、照明器具１０は、器具本体１４における天井１１とは反対側に設けられた電源部３３および発光部３６と、電源部３３を覆う電源領域カバー１９と、発光部３６を覆う透光性カバー２３と、を備える。電源領域カバー１９および透光性カバー２３が一体成形されている。
【００２８】
また、好ましくは、第１実施形態の照明器具１０は、電源部３３および発光部３６は、器具本体１４における天井１１とは反対側に設けられた同一の回路基板１６に設けられている。
【００２９】
次に、第２実施形態を図４に基づいて説明する。
なお、第２実施形態において第１実施形態の照明器具１０と同一類似部材については同じ符号を付して説明を省略する。
【００３０】
（第２実施形態）
図４に示すように、第２実施形態の照明器具６０は、電源部６１および発光部６２がそれぞれ個別の回路基板６３および回路基板６４に実装されたもので、その他の構成は第１実施形態の照明器具１０と略同様である。
【００３１】
すなわち、回路基板６３が器具取付部１４Ａに対して近い領域に環状に形成され、回路基板６４が器具取付部１４Ａに対して遠い領域（すなわち、回路基板６３）に環状に形成されている。回路基板６３および回路基板６４が平坦に配置されている。
【００３２】
回路基板６３のうち器具本体１４とは反対側の表面６３Ｂに電源部６１としての電子部品６６が実装されている。また、回路基板６４のうち器具本体１４とは反対側の表面６４Ｂに発光部６２としてのＬＥＤチップ３７が設けられている。さらに、回路基板６３および回路基板６４がハーネスで接続されている。
電源部６１および発光部６２がカバー部材２０で覆われている。カバー部材２０は、透光性カバー２３および電源領域カバー１９が一体成形されたものである。
【００３３】
第２実施形態の照明器具６０によれば、第１実施形態の照明器具１０と同様に、リモートコントロールの信号を受信素子（受信部）に到達させ易くなり、リモートコントロールの感度を高めることができる。
【００３４】
なお、本発明の照明器具は、前述した実施形態に限定されるものではなく適宜変更、改良等が可能である。
例えば、前記第１実施形態および第２実施形態で使用した照明器具、造営材、器具本体、電源領域カバー、透光性カバー、電源部および発光部等の形状や構成は例示したものに限定するものではなく適宜変更が可能である。
【符号の説明】
【００３５】
１０、６０  照明器具
１１  天井
１４  器具本体
１９  電源領域カバー
２３  透光性カバー
３３、６１  電源部
３６、６２  発光部
【図１】
2018152362.tif 000003
【図２】
2018152362.tif 000004
【図３】
2018152362.tif 000005
【図４】
2018152362.tif 000006